(57)【特許請求の範囲】
【請求項１】
光源と、
人体からの熱線の検出を行う熱線センサと、
負荷に対する外部電源からの電力供給用の負荷スイッチと、
前記熱線センサによって前記熱線が検出されると、前記負荷スイッチを入の状態にして前記負荷に電力を供給するとともに、前記光源を点滅させるための点滅制御信号をその光源に向けて送信する制御手段と、
前記制御手段からの前記点滅制御信号の送信経路上に介在するスイッチからなり前記光源を入および切のいずれかの状態に設定する設定手段と
を備え、
前記熱線センサによって前記熱線が検出されると、前記設定手段によって前記光源が入の状態に設定されていれば前記光源を点滅させる一方、前記設定手段によって前記光源が切の状態に設定されていれば前記光源の点滅を中止する
ことを特徴とする熱線センサ付自動スイッチ。
【請求項２】
光源と、
人体からの熱線の検出を行う熱線センサと、
負荷に対する外部電源からの電力供給用の負荷スイッチと、
前記光源を入および切のいずれかの状態に設定する設定手段と、
照度の検出を行う照度センサと、
前記照度センサを入および切のいずれかの状態に設定する照度スイッチと、
前記熱線センサによって前記熱線が検出されると、前記負荷スイッチを入の状態にして前記負荷に電力を供給するとともに、前記光源を点滅させるための点滅制御信号をその光源に向けて送信する制御手段と
を備え、
前記設定手段は、前記照度スイッチが有する接点と連動する別の接点であり、前記照度スイッチが前記照度センサを入の状態に設定していれば前記光源への電力供給経路の遮断を行う一方、前記照度センサを切の状態に設定していれば前記光源への電力供給経路の接続を行う
ことを特徴とする熱線センサ付自動スイッチ。
【請求項３】
光源と、
人体からの熱線の検出を行う熱線センサと、
負荷に対する外部電源からの電力供給用の負荷スイッチと、
前記光源を入および切のいずれかの状態に設定する設定手段と、
制御手段と、
照度の検出を行う照度センサと
を備え、
前記設定手段は、前記照度センサを入および切のいずれかの状態に設定する照度スイッチであり、
前記制御手段は、前記熱線センサによって前記熱線が検出されると、前記負荷スイッチを入の状態にして前記負荷に電力を供給するとともに、前記照度スイッチが切の状態に設定されていれば前記光源を点滅させる一方、前記照度スイッチが入の状態に設定されていれば前記光源の点滅を中止する
ことを特徴とする熱線センサ付自動スイッチ。
【請求項４】
光源と、
人体からの熱線の検出を行う熱線センサと、
負荷に対する外部電源からの電力供給用の負荷スイッチと、
前記光源を入および切のいずれかの状態に設定する設定手段と、
制御手段と、
照度の検出を行う照度センサと
を備え、
前記設定手段は、点検、前記照度センサの入および前記照度センサの切のいずれかのモードに設定する点検機能付照度スイッチであり、
前記制御手段は、前記熱線センサによって前記熱線が検出されると、前記負荷スイッチを入の状態にして前記負荷に電力を供給するとともに、前記点検機能付照度スイッチが点検のモードに設定されていれば前記光源を点滅させる一方、前記点検機能付照度スイッチが入または切のモードに設定されていれば前記光源の点滅を中止する
ことを特徴とする熱線センサ付自動スイッチ。
【発明の詳細な説明】
【０００１】
【発明の属する技術分野】
本発明は、人体からの熱線検出用の熱線センサを有し、この熱線センサの検出結果に応じて、例えば対応する負荷に対する所定制御を行う熱線センサ付自動スイッチに関するものである。
【０００２】
【従来の技術】
従来、人体からの熱線検出用の熱線センサを有し、この熱線センサの検出結果から得られる人の存否に応じて、例えば照明器具に対して点灯または消灯制御を行う熱線センサ付自動スイッチが種々提案されている。
【０００３】
例えば、照度の検出を行う明るさセンサおよびこの明るさセンサを入および切のいずれかの状態に設定する明るさセンサ調整スイッチをさらに備え、この明るさセンサ調整スイッチが入の状態に設定されている場合には、明るさセンサの検出結果から周囲照度が暗と判定されれば熱線センサの検出結果に応じて所定制御を行う一方、明るさセンサ調整スイッチが切の状態に設定されている場合には、周囲照度に関係なく熱線センサの検出結果に応じて所定制御を行う熱線センサ付自動スイッチが知られている。
【０００４】
【発明が解決しようとする課題】
また、上記のような従来の熱線センサ付自動スイッチには、熱線センサによる熱線検出時に点滅するＬＥＤやランプなどの光源が器具表面またはレンズ内に設けられているものがある。上記光源は、熱線センサの検出エリアを確認するためのもので、器具設置時または使用時に熱線センサの検出動作に不都合があった場合にその検出エリアの調整に必要となる機能である。この光源は通常不要であるばかりでなく、その点滅を不快に感じるユーザもいる。
【０００５】
なお、前述の明るさセンサ調整スイッチは、一般住宅の通常使用時に切の状態に設定されるのはごく稀で、例えば熱線センサの検出エリア調整時に周囲が明るければ切の状態に設定される。
【０００６】
本発明は、上記事情に鑑みてなされたものであり、光源を必要時に点滅させることが可能でユーザに対するその点滅による不快感を低減しうる熱線センサ付自動スイッチを提供することを目的とする。
【０００７】
【課題を解決するための手段】
請求項１に記載の発明は、光源と、人体からの熱線の検出を行う熱線センサと、負荷に対する外部電源からの電力供給用の負荷スイッチと、前記熱線センサによって前記熱線が検出されると、前記負荷スイッチを入の状態にして前記負荷に電力を供給するとともに、前記光源を点滅させるための点滅制御信号をその光源に向けて送信する制御手段と、前記制御手段からの前記点滅制御信号の送信経路上に介在するスイッチからなり前記光源を入および切のいずれかの状態に設定する設定手段とを備え、前記熱線センサによって前記熱線が検出されると、前記設定手段によって前記光源が入の状態に設定されていれば前記光源を点滅させる一方、前記設定手段によって前記光源が切の状態に設定されていれば前記光源の点滅を中止することを特徴とする。
【０００８】
この構成では、制御手段から点滅制御信号が送信されても、スイッチを切にすれば光源の点滅が中止されるので光源はその点滅制御信号に応じて点滅しなくなる。これにより、光源を必要時に点滅させることが可能になるとともに、ユーザに対するその点滅による不快感が低減されるようになる。
【００１０】
請求項２に記載の発明は、光源と、人体からの熱線の検出を行う熱線センサと、負荷に対する外部電源からの電力供給用の負荷スイッチと、前記光源を入および切のいずれかの状態に設定する設定手段と、照度の検出を行う照度センサと、前記照度センサを入および切のいずれかの状態に設定する照度スイッチと、前記熱線センサによって前記熱線が検出されると、前記負荷スイッチを入の状態にして前記負荷に電力を供給するとともに、前記光源を点滅させるための点滅制御信号をその光源に向けて送信する制御手段とを備え、前記設定手段は、前記照度スイッチが有する接点と連動する別の接点であり、前記照度スイッチが前記照度センサを入の状態に設定していれば前記光源への電力供給経路の遮断を行う一方、前記照度センサを切の状態に設定していれば前記光源への電力供給経路の接続を行うことを特徴とする。この構成では、照度スイッチが照度センサを入の状態に設定していれば光源への電力供給経路が遮断されるので、光源は点滅制御信号に応じて点滅しなくなる。これにより、光源を必要時に点滅させることが可能になるとともに、ユーザに対するその点滅による不快感が低減されるようになる。
【００１１】
請求項３に記載の発明は、光源と、人体からの熱線の検出を行う熱線センサと、負荷に対する外部電源からの電力供給用の負荷スイッチと、前記光源を入および切のいずれかの状態に設定する設定手段と、制御手段と、照度の検出を行う照度センサとを備え、前記設定手段は、前記照度センサを入および切のいずれかの状態に設定する照度スイッチであり、前記制御手段は、前記熱線センサによって前記熱線が検出されると、前記負荷スイッチを入の状態にして前記負荷に電力を供給するとともに、前記照度スイッチが切の状態に設定されていれば前記光源を点滅させる一方、前記照度スイッチが入の状態に設定されていれば前記光源の点滅を中止することを特徴とする。この構成では、照度スイッチが入の状態に設定されていれば光源の点滅が中止されるので光源は点滅しなくなる。これにより、光源を必要時に点滅させることが可能になるとともに、ユーザに対するその点滅による不快感が低減されるようになる。また、スイッチの追加が不要になる。
【００１２】
請求項４に記載の発明は、光源と、人体からの熱線の検出を行う熱線センサと、負荷に対する外部電源からの電力供給用の負荷スイッチと、前記光源を入および切のいずれかの状態に設定する設定手段と、制御手段と、照度の検出を行う照度センサとを備え、前記設定手段は、点検、前記照度センサの入および前記照度センサの切のいずれかのモードに設定する点検機能付照度スイッチであり、前記制御手段は、前記熱線センサによって前記熱線が検出されると、前記負荷スイッチを入の状態にして前記負荷に電力を供給するとともに、前記点検機能付照度スイッチが点検のモードに設定されていれば前記光源を点滅させる一方、前記点検機能付照度スイッチが入または切のモードに設定されていれば前記光源の点滅を中止することを特徴とする。この構成では、点検機能付照度スイッチが入または切のモードに設定されていれば光源の点滅が中止されるので光源は点滅しなくなる。これにより、光源を必要時に点滅させることが可能になるとともに、ユーザに対するその点滅による不快感が低減されるようになる。また、スイッチの追加が不要になる。
【００１３】
【発明の実施の形態】
図１は本発明に係る第１実施形態の熱線センサ付自動スイッチを示すブロック図、図２は図１の熱線センサ付自動スイッチの概観例を示す図、図３は図１の照度検出回路および明るさセンサ調整回路の回路例を示す図、図４は図１のＬＥＤ回路などの回路例を示す図で、以下これらの図を用いて本熱線センサ付自動スイッチについて説明する。
【００１４】
この熱線センサ付自動スイッチは、人体からの熱線の検出を行う熱線センサとしての図略のＰＩＲ素子（ｐｙｒｏｅｌｅｃｔｒｉｃ  ｉｎｆｒａｒｅｄ  ｓｅｎｓｏｒ）によりなる熱線検出回路１１、照度の検出を行うＣｄＳなどの明るさセンサ（照度センサ）Ｓ１２によりなる照度検出回路１２、明るさセンサＳ１２を入（明または暗）および切のいずれかの状態に設定する明るさセンサ調整スイッチ（照度スイッチ）ＳＷ１３によりなる明るさセンサ調整回路１３、図示しないタイマ時間調整用のタイマ時間調整ボリュームによりなるタイマ時間調整回路１４、負荷（例えば照明器具）に対する外部電源からの電力供給用のスイッチＳＷ１５によりなる負荷制御回路１５、ＬＥＤ回路（光源）１６、および外部電源からの電力の整流および平滑などを行って各部に直流電力を供給する電源回路１７を従来と同様に備えているとともに、スイッチ（設定手段）ＳＷ１８およびセンサ制御回路（制御手段）１９を備えている。
【００１５】
照度検出回路１２は、図３に示すように、明るさセンサ調整スイッチＳＷ１３の共通端子となる一端と一端（上端）が接続される明るさセンサＳ１２、この明るさセンサＳ１２の他端と一端が接続される他端接地の抵抗Ｒ１２、および明るさセンサＳ１２の上端からその検出結果を取り込んで所定の基準照度と比較して周囲照度が明および暗のいずれであるかの判定を行う明るさ判定回路１２０により構成されている。
【００１６】
明るさセンサ調整回路１３は、電源回路１７の高電位側出力端に一端が接続される抵抗Ｒ１３０，Ｒ１３１と、切ポジションとしての電源回路１７の高電位側出力端、明ポジションとしての抵抗Ｒ１３０の他端および暗ポジションとしての抵抗Ｒ１３１の他端のいずれかに他端が切換接続される明るさセンサ調整スイッチＳＷ１３とにより構成されている。これにより、明るさセンサ調整スイッチＳＷ１３が入（明または暗）の状態に設定されていれば、明るさセンサＳ１２による周囲照度の検出結果が判定回路１２０に取り込まれる一方、明るさセンサ調整スイッチＳＷ１３が切の状態に設定されていれば、判定結果が暗となる信号が判定回路１２０に取り込まれる。すなわち、明るさセンサ調整スイッチＳＷ１３によって、明るさセンサＳ１２が機能する入および機能しない切のいずれかの状態に設定される。
【００１７】
ＬＥＤ回路１６は、図４に示すように、電源回路１７の高電位側出力端に一端が接続される抵抗Ｒ１６０、この抵抗Ｒ１６０の他端にアノードが接続される発光ダイオードＬＥＤ１６、この発光ダイオードＬＥＤ１６のカソードにコレクタが接続されるエミッタ接地のトランジスタＴｒ１６、このトランジスタＴｒ１６のベース・エミッタ間に接続される抵抗Ｒ１６１、およびトランジスタＴｒ１６のベースとセンサ制御回路１９との間に接続される抵抗Ｒ１６２により構成されている。
【００１８】
スイッチＳＷ１８は、ＬＥＤ回路１６を入および切のいずれかの状態に設定するもので、センサ制御回路１９からの後述するオン制御信号の送信経路上における抵抗Ｒ１６２とトランジスタＴｒ１６のベースとの間に介在している。これにより、スイッチＳＷ１８が切の状態にあれば、オン制御信号の有無に関係なく発光ダイオードＬＥＤ１６は点滅しなくなる。
【００１９】
センサ制御回路１９は、本熱線センサ付自動スイッチの全般の制御を行うもので、例えば照度検出回路１２から周囲照度が明および暗のいずれであるかの判定結果を取り込み、この判定結果が暗である場合に限り、熱線検出回路１１によって熱線が検出されればスイッチＳＷ１５をオン状態にさせるとともに、タイマ時間調整回路１４で設定されたタイマ時間の経過時点までに熱線検出回路１１によって熱線が検出されなければ、スイッチＳＷ１５をオフ状態にさせる制御を負荷制御回路１５に対して行う。
【００２０】
また、センサ制御回路１９は、明るさ判定回路１２０の判定結果が暗である場合、熱線検出回路１１によって熱線が検出されるとＬＥＤ回路１６に向けてオン制御信号を所定時間だけ送信する。従って、発光ダイオードＬＥＤ１６は、スイッチＳＷ１８が入の状態であれば、判定結果が暗で熱線検出時に点滅し、スイッチＳＷ１８が切の状態であれば点滅しなくなる。
【００２１】
図５は本熱線センサ付自動スイッチの動作説明用の波形図で、以下この図を用いて第１実施形態の動作について説明する。ただし、判定回路１２０による判定結果は暗で、スイッチＳＷ１８は入の状態であるとする。
【００２２】
熱線検出回路１１によって熱線が検出されると（時点ｔ１０）、判定回路１２０による判定結果が暗であるので、スイッチＳＷ１５をオン状態にさせる制御が行われるとともに、ＬＥＤ回路１６にオン制御信号が所定時間だけ送信される。これにより、スイッチＳＷ１５がオン状態になって負荷に電力が供給されるとともに、トランジスタＴｒ１６が所定時間だけオンして発光ダイオードＬＥＤ１６が点滅する。
【００２３】
この後、スイッチＳＷ１８が切の状態にされると（時点ｔ１１）、これ以降、センサ制御回路１９からのオン制御信号がＬＥＤ回路１６のトランジスタＴｒ１６で受信されなくなるので、発光ダイオードＬＥＤ１６は点滅しなくなる。
【００２４】
この後、タイマ時間の経過前に熱線検出回路１１によって熱線が検出されると（時点ｔ１２）、判定回路１２０による判定結果が暗であるので、スイッチＳＷ１５をオン状態に保持させる制御が行われるとともに、ＬＥＤ回路１６にオン制御信号が所定時間だけ送信される。これにより、負荷への電力供給が保たれる。
【００２５】
この後、タイマ時間が経過すると（時点ｔ１３）、スイッチＳＷ１５をオフ状態にさせる制御が行われる。これにより、負荷への電力供給が停止する。
【００２６】
この後、熱線検出回路１１によって熱線が検出されると（時点ｔ１４）、判定回路１２０による判定結果が暗であるので、スイッチＳＷ１５をオン状態にさせる制御が行われるとともに、ＬＥＤ回路１６にオン制御信号が所定時間だけ送信される。これにより、負荷に電力が供給される。また、ＬＥＤ回路１６にオン制御信号が送られるが、スイッチＳＷ１８が切の状態にあるので、発光ダイオードＬＥＤ１６は点滅しない。
【００２７】
この後、タイマ時間が経過すると（時点ｔ１５）、スイッチＳＷ１５をオフ状態にさせる制御が行われる。これにより、負荷への電力供給が停止する。
【００２８】
以上、第１実施形態によれば、発光ダイオードＬＥＤ１６を必要時に点滅させることが可能になるとともにユーザに対するその点滅による不快感を低減することが可能になる。
【００２９】
図６は本発明に係る第２実施形態の熱線センサ付自動スイッチを示すブロック図、図７は図６の熱線センサ付自動スイッチの概観例を示す図、図８は図６の照度検出回路、明るさセンサ調整回路およびＬＥＤ回路の回路例を示す図で、以下これらの図を用いて本熱線センサ付自動スイッチについて説明する。
【００３０】
この熱線センサ付自動スイッチは、熱線検出回路１１、照度検出回路１２、タイマ時間調整回路１４、負荷制御回路１５、ＬＥＤ回路１６、電源回路１７およびセンサ制御回路１９を第１実施形態と同様に備えている他、第１実施形態とは異なる明るさセンサ調整回路２３を備えている。
【００３１】
この明るさセンサ調整回路２３は、抵抗Ｒ１３０，Ｒ１３１および明るさセンサ調整スイッチＳＷ１３を第１実施形態と同様に備えている他、明るさセンサ調整スイッチＳＷ１３と連動するスイッチ（設定手段）ＳＷ２８を備えている。
【００３２】
このスイッチＳＷ２８は、明るさセンサ調整スイッチＳＷ１３が照度検出回路１２を入の状態に設定していればＬＥＤ回路１６への電力供給経路の遮断を行う一方、照度検出回路１２を切の状態に設定していればＬＥＤ回路１６への電力供給経路の接続を行うものである。すなわち、スイッチＳＷ２８の共通端子となる一端はＬＥＤ回路１６における抵抗Ｒ１６０の一端（上端）に接続され、スイッチＳＷ２８の他端は、明るさセンサ調整スイッチＳＷ１３が入（明または暗）および切のいずれかの状態に設定されると、それぞれ切としてのグランドおよび入としての電源回路１７の高電位側出力端のいずれかに切換接続される。
【００３３】
これにより、発光ダイオードＬＥＤ１６は、明るさセンサ調整スイッチＳＷ１３が入の状態であれば点滅しなくなり、明るさセンサ調整スイッチＳＷ１３が切の状態であれば、熱線が検出されると周囲照度に関係なく点滅することになる。
【００３４】
図９は本熱線センサ付自動スイッチの動作説明用の波形図で、以下この図を用いて第２実施形態の動作について説明する。ただし、判定回路１２０による判定結果は暗で、明るさセンサ調整スイッチＳＷ１３は切の状態であるとする。
【００３５】
熱線検出回路１１によって熱線が検出されると（時点ｔ２０）、判定回路１２０による判定結果が暗であるので、スイッチＳＷ１５をオン状態にさせる制御が行われるとともに、ＬＥＤ回路１６にオン制御信号が所定時間だけ送信される。これにより、スイッチＳＷ１５がオン状態になって負荷に電力が供給されるとともに、トランジスタＴｒ１６が所定時間だけオンして発光ダイオードＬＥＤ１６が点滅する。
【００３６】
この後、タイマ時間の経過前に熱線検出回路１１によって熱線が検出されると（時点ｔ２１）、判定回路１２０による判定結果が暗であるので、スイッチＳＷ１５をオン状態に保持させる制御が行われるとともに、ＬＥＤ回路１６にオン制御信号が所定時間だけ送信される。これにより、負荷への電力供給が維持されるとともに、発光ダイオードＬＥＤ１６が点滅する。
【００３７】
この後、タイマ時間が経過すると（時点ｔ２２）、スイッチＳＷ１５をオフ状態にさせる制御が行われる。これにより、負荷への電力供給が停止する。
【００３８】
この後、明るさセンサ調整スイッチＳＷ１３が入（明または暗）の状態にされると（時点ｔ２３）、これ以降、発光ダイオードＬＥＤ１６は点滅しなくなる。
【００３９】
この後、熱線検出回路１１によって熱線が検出されると（時点ｔ２４）、判定回路１２０による判定結果が暗であるので、スイッチＳＷ１５をオン状態にさせる制御が行われるとともに、ＬＥＤ回路１６にオン制御信号が所定時間だけ送信される。これにより、スイッチＳＷ１５がオン状態になって負荷に電力が供給される。また、ＬＥＤ回路１６にオン制御信号が送信されるが、明るさセンサ調整スイッチＳＷ１３が入の状態に設定されているので発光ダイオードＬＥＤ１６は点滅しない。
【００４０】
この後、タイマ時間が経過すると（時点ｔ２５）、スイッチＳＷ１５をオフ状態にさせる制御が行われる。これにより、負荷への電力供給が停止する。
【００４１】
以上、第２実施形態によれば、発光ダイオードＬＥＤ１６を必要時に点滅させることが可能になるとともにユーザに対するその点滅による不快感を低減することが可能になる。これにより、発光ダイオードＬＥＤ１６の点滅が必要なＰＩＲ素子の検出エリア調整時（明るさセンサ調整スイッチが切の時）のみ、自動的に点滅させることができる。また、器具を構成する部品点数が変わらず、器具の形状を変えずに構成できる。さらに、現在多く市販されているロジックＩＣ使用の商品への応用が容易になる。
【００４２】
図１０は本発明に係る第３実施形態の熱線センサ付自動スイッチを示すブロック図、図１１は図１０の熱線センサ付自動スイッチの概観例を示す図、図１２は図１０の照度検出回路、明るさセンサ調整回路およびＬＥＤ回路などの回路例を示す図で、以下これらの図を用いて第３実施形態について説明する。
【００４３】
本熱線センサ付自動スイッチは、熱線検出回路１１、明るさセンサ調整回路１３、タイマ時間調整回路１４、負荷制御回路１５および電源回路１７を第１実施形態と同様に備えている他、第１実施形態とは異なる照度検出回路３２、ＬＥＤ回路３６およびセンサ制御回路３９を備えている。
【００４４】
照度検出回路３２は、明るさセンサＳ１２および抵抗Ｒ１２を図３と同様の回路配置で備え、明るさセンサＳ１２の一端（上端）からその検出結果がセンサ制御回路３９に取り込まれる構成になっている。
【００４５】
ＬＥＤ回路３６は、抵抗Ｒ１６０および発光ダイオードＬＥＤ１６を図４と同様の回路配置で備え、この発光ダイオードＬＥＤ１６のカソードがセンサ制御回路３９に接続される構成になっている。
【００４６】
センサ制御回路３９は、本熱線センサ付自動スイッチの全般の制御を行うマイコンであり、例えば明るさセンサＳ１２の検出結果を取り込んで所定の基準照度と比較して周囲照度が明および暗のいずれであるかの判定を行う。
【００４７】
また、センサ制御回路３９は、上記判定結果が暗である場合に限り、熱線検出回路１１によって熱線が検出されればスイッチＳＷ１５をオン状態にさせるとともに、タイマ時間調整回路１４で設定されたタイマ時間の経過時点までに熱線検出回路１１によって熱線が検出されなければ、スイッチＳＷ１５をオフ状態にさせる制御を負荷制御回路１５に対して行う。
【００４８】
また、センサ制御回路３９は、明るさセンサ調整スイッチＳＷ１３が切の状態にあるか否かの判定を行う。例えば、明るさセンサＳ１２の検出結果が電源回路１７の出力電圧に相当すれば、明るさセンサ調整スイッチＳＷ１３が切の状態にあると判定される。
【００４９】
さらに、センサ制御回路３９は、熱線検出回路１１によって熱線が検出されると、明るさセンサ調整スイッチＳＷ１３が切の状態に設定されていれば、上記判定結果が暗である場合にＬＥＤ回路１６の発光ダイオードＬＥＤ１６を点滅させる一方、明るさセンサ調整スイッチＳＷ１３が入の状態に設定されていれば、発光ダイオードＬＥＤ１６の点滅を中止する。
【００５０】
図１３は本熱線センサ付自動スイッチの動作説明用の波形図で、以下この図を用いて第３実施形態の動作について説明する。ただし、上記明暗の判定結果は暗で、明るさセンサ調整スイッチＳＷ１３は切の状態であるとする。
【００５１】
熱線検出回路１１によって熱線が検出されると（時点ｔ３０）、判定結果が暗であるので、スイッチＳＷ１５をオン状態にさせる制御が行われるとともに、ＬＥＤ回路１６の発光ダイオードＬＥＤ１６を点滅させる制御が行われる。これにより、スイッチＳＷ１５がオン状態になって負荷に電力が供給されるとともに、発光ダイオードＬＥＤ１６が点滅する。
【００５２】
この後、タイマ時間の経過前に熱線検出回路１１によって熱線が検出されると（時点ｔ３１）、判定結果が暗であるので、スイッチＳＷ１５をオン状態に保持させる制御が行われるとともに、発光ダイオードＬＥＤ１６を点滅させる制御が行われる。これにより、負荷への電力供給が維持されるとともに、発光ダイオードＬＥＤ１６が点滅する。
【００５３】
この後、タイマ時間が経過すると（時点ｔ３２）、スイッチＳＷ１５をオフ状態にさせる制御が行われる。これにより、負荷への電力供給が停止する。
【００５４】
この後、明るさセンサ調整スイッチＳＷ１３が入（明または暗）の状態にされると（時点ｔ３３）、これ以降、センサ制御回路３９は発光ダイオードＬＥＤ１６の点滅を中止する。
【００５５】
この後、熱線検出回路１１によって熱線が検出されると（時点ｔ３４）、判定結果が暗であるので、スイッチＳＷ１５をオン状態にさせる制御が行われる。これにより、スイッチＳＷ１５がオン状態になって負荷に電力が供給される。
【００５６】
この後、タイマ時間が経過すると（時点ｔ３５）、スイッチＳＷ１５をオフ状態にさせる制御が行われる。これにより、負荷への電力供給が停止する。また、センサ制御回路３９が発光ダイオードＬＥＤ１６の点滅を中止しているので、発光ダイオードＬＥＤ１６は点滅しない。
【００５７】
以上、第３実施形態によれば、発光ダイオードＬＥＤ１６を必要時に点滅させることが可能になるとともにユーザに対するその点滅による不快感を低減することが可能になる。また、スイッチを不要にすることが可能になる。これにより、発光ダイオードＬＥＤ１６の点滅が必要なＰＩＲ素子の検出エリア調整時（明るさセンサ調整スイッチが切の時）のみ、自動的に点滅させることができる。また、器具を構成する部品点数が変わらず、器具の形状を変えずに構成できる。さらにマイコンのソフト変更のみで実現でき、電子部品実装など製造工程の変更なしに生産できる。
【００５８】
図１４は本発明に係る第４実施形態の熱線センサ付自動スイッチを示すブロック図、図１５は図１４の熱線センサ付自動スイッチの概観例を示す図、図１６は図１４の照度検出回路およびＬＥＤ回路の回路例を示す図で、以下これらの図を用いて本熱線センサ付自動スイッチについて説明する。
【００５９】
この熱線センサ付自動スイッチは、熱線検出回路１１、タイマ時間調整回路１４、負荷制御回路１５、ＬＥＤ回路３６および電源回路１７を第３実施形態と同様に備えている他、第３実施形態とは異なる照度検出回路４２、点検機能付照度スイッチとしての明るさセンサ調整スイッチＳＷ４３、およびセンサ制御回路４９を備えている。
【００６０】
照度検出回路４２は、明るさセンサＳ１２、抵抗Ｒ１２、および明るさセンサＳ１２の一端と電源回路１７の高電位側出力端との間に接続される抵抗Ｒ４２を有し、明るさセンサＳ１２の一端からその検出結果がセンサ制御回路４９に取り込まれる構成になっている。
【００６１】
明るさセンサ調整スイッチＳＷ４３は、点検、照度検出回路４２の入（明または暗）および照度検出回路４２の切のいずれかのモードに設定するロータリディップスイッチであり、このロータリディップスイッチの各接点の情報がセンサ制御回路４９に取り込まれる構成になっている。
【００６２】
センサ制御回路４９は、本熱線センサ付自動スイッチの全般の制御を行うマイコンであり、例えば明るさセンサＳ１２の検出結果を取り込んで所定の基準照度と比較して周囲照度が明および暗のいずれであるかの判定を行う。
【００６３】
また、センサ制御回路４９は、上記判定結果が暗である場合に限り、熱線検出回路１１によって熱線が検出されればスイッチＳＷ１５をオン状態にさせるとともに、タイマ時間調整回路１４で設定されたタイマ時間の経過時点までに熱線検出回路１１によって熱線が検出されなければ、スイッチＳＷ１５をオフ状態にさせる制御を負荷制御回路１５に対して行う。
【００６４】
また、センサ制御回路４９は、明るさセンサ調整スイッチＳＷ４３の各接点の情報を取り込んで、明るさセンサ調整スイッチＳＷ４３が点検のモードにあるか否かの判定を行う。
【００６５】
さらに、センサ制御回路４９は、熱線検出回路１１によって熱線が検出された場合には、明るさセンサ調整スイッチＳＷ４３が点検のモードに設定されていればＬＥＤ回路３６の発光ダイオードＬＥＤ１６を点滅させる一方、明るさセンサ調整スイッチＳＷ４３が入または切のモードに設定されていれば発光ダイオードＬＥＤ１６の点滅を中止する。
【００６６】
図１７は本熱線センサ付自動スイッチの動作説明用の波形図で、以下この図を用いて第４実施形態の動作について説明する。ただし、上記明暗の判定結果は暗で、明るさセンサ調整スイッチＳＷ４３は点検のモードであるとする。
【００６７】
熱線検出回路１１によって熱線が検出されると（時点ｔ４０）、判定結果が暗であるので、スイッチＳＷ１５をオン状態にさせる制御が行われるとともに、ＬＥＤ回路３６の発光ダイオードＬＥＤ１６を点滅させる制御が行われる。これにより、スイッチＳＷ１５がオン状態になって負荷に電力が供給されるとともに、発光ダイオードＬＥＤ１６が点滅する。
【００６８】
この後、明るさセンサ調整スイッチＳＷ４３が点検のモードにされると（時点ｔ４１）、これ以降、センサ制御回路４９は発光ダイオードＬＥＤ１６の点滅を中止する。
【００６９】
この後、タイマ時間の経過前に熱線検出回路１１によって熱線が検出されると（時点ｔ４２）、判定結果が暗であるので、スイッチＳＷ１５をオン状態に保持させる制御が行われる。これにより、負荷への電力供給が維持される。
【００７０】
この後、タイマ時間が経過すると（時点ｔ４３）、スイッチＳＷ１５をオフ状態にさせる制御が行われる。これにより、負荷への電力供給が停止する。
【００７１】
この後、熱線検出回路１１によって熱線が検出されると（時点ｔ４４）、判定結果が暗であるので、スイッチＳＷ１５をオン状態にさせる制御が行われる。これにより、スイッチＳＷ１５がオン状態になって負荷に電力が供給される。また、センサ制御回路４９が発光ダイオードＬＥＤ１６の点滅を中止しているので、発光ダイオードＬＥＤ１６は点滅しない。
【００７２】
この後、タイマ時間が経過すると（時点ｔ４５）、スイッチＳＷ１５をオフ状態にさせる制御が行われる。これにより、負荷への電力供給が停止する。
【００７３】
以上、第４実施形態によれば、発光ダイオードＬＥＤ１６を必要時に点滅させることが可能になるとともにユーザに対するその点滅による不快感を低減することが可能になる。また、スイッチを不要にすることが可能になる。
【００７４】
なお、上記第１〜第４実施形態では、概観例が壁用の器具になっているが、天井取付用器具にも上記回路構成の適用が可能である。
【００７５】
【発明の効果】
以上のことから明らかなように、請求項１および２記載の発明によれば、光源を必要時に点滅させることが可能になるとともにユーザに対するその点滅による不快感が低減可能になる。
【００７６】
請求項３および４記載の発明によれば、光源を必要時に点滅させることが可能になるとともにユーザに対するその点滅による不快感が低減可能になる。また、スイッチの追加が不要になる。
【図面の簡単な説明】
【図１】本発明に係る第１実施形態の熱線センサ付自動スイッチを示すブロック図である。
【図２】図１の熱線センサ付自動スイッチの概観例を示す図である。
【図３】図１の照度検出回路および明るさセンサ調整回路の回路例を示す図である。
【図４】図１のＬＥＤ回路などの回路例を示す図である。
【図５】本熱線センサ付自動スイッチの動作説明用の波形図である。
【図６】本発明に係る第２実施形態の熱線センサ付自動スイッチを示すブロック図である。
【図７】図６の熱線センサ付自動スイッチの概観例を示す図である。
【図８】図６の照度検出回路、明るさセンサ調整回路およびＬＥＤ回路の回路例を示す図である。
【図９】本熱線センサ付自動スイッチの動作説明用の波形図である。
【図１０】本発明に係る第３実施形態の熱線センサ付自動スイッチを示すブロック図である。
【図１１】図１０の熱線センサ付自動スイッチの概観例を示す図である。
【図１２】図１０の照度検出回路、明るさセンサ調整回路およびＬＥＤ回路などの回路例を示す図である。
【図１３】本熱線センサ付自動スイッチの動作説明用の波形図である。
【図１４】本発明に係る第４実施形態の熱線センサ付自動スイッチを示すブロック図である。
【図１５】図１４の熱線センサ付自動スイッチの概観例を示す図である。
【図１６】図１４の照度検出回路およびＬＥＤ回路の回路例を示す図である。
【図１７】本熱線センサ付自動スイッチの動作説明用の波形図である。
【符号の説明】
１１  熱線検出回路
１２，３２，４２  照度検出回路
１３，２３  明るさセンサ調整回路
１４  タイマ時間調整回路
１５  負荷制御回路
１６，３６  ＬＥＤ回路
１７  電源回路
１９，３９，４９  センサ制御回路
Ｓ１２  明るさセンサ
ＳＷ１３，ＳＷ４３  明るさセンサ調整スイッチ
ＳＷ１８，ＳＷ２８  スイッチ
【図１】
0003608394.tif 000002
【図２】
0003608394.tif 000003
【図３】
0003608394.tif 000004
【図４】
0003608394.tif 000005
【図５】
0003608394.tif 000006
【図６】
0003608394.tif 000007
【図７】
0003608394.tif 000008
【図８】
0003608394.tif 000009
【図９】
0003608394.tif 000010
【図１０】
0003608394.tif 000011
【図１１】
0003608394.tif 000012
【図１２】
0003608394.tif 000013
【図１３】
0003608394.tif 000014
【図１４】
0003608394.tif 000015
【図１５】
0003608394.tif 000016
【図１６】
0003608394.tif 000017
【図１７】
0003608394.tif 000018